(57)【特許請求の範囲】
【請求項１】
天井施工面に直接取り付けられる器具本体と、
前記器具本体に取り付けられ蛍光ランプへ給電する安定器と、
前記器具本体および前記安定器を覆う充電部保護を兼ねたブロックカバーと、
前記ブロックカバーの下面に保持される蛍光ランプと、
前記蛍光ランプを含む前記器具本体の下面を覆う透光性のカバーと、
前記器具本体の上面に配置され、前記天井施工面側に接地される接地用ネジを螺挿するためのネジ孔と、
を備えた照明器具であって、
前記ネジ孔には、
前記天井施工面とは反対側に突出され、その内部にネジが刻まれている挿通孔部と、
前記挿通孔部の外縁に形成され、断面が山状であり、頂部で、前記接地用ネジの頭部の底部を支持し、かつ、内側の立ち上がり勾配に比べて、外側の立ち上がり勾配の方が緩やかに設定されている周リブと、
が形成されていることを特徴とする照明器具。
【請求項２】
前記ネジ孔の前記周リブは、前記接地用ネジをネジ込んだ状態において、前記器具本体の前記天井施工面に当接する突出部の高さより前記接地用ネジに有する頭部を低く配置することを特徴とする請求項１に記載した照明器具。
【請求項３】
前記ネジ孔の前記周リブは、前記接地用ネジを正規位置に誘導可能であることを特徴とする請求項１または２に記載した照明器具。
【請求項４】
前記ネジ孔の前記挿通孔部は、その内径寸法が先端に行くに従って徐々に小さく形成されていることを特徴とする請求項１〜３のいずれかに記載した照明器具。
【発明の詳細な説明】
【技術分野】
【０００１】
本発明は、例えば住宅等の天井施工面に直接取り付けられる直付型の照明器具に関する。
【背景技術】
【０００２】
従来の照明器具の一例として、取付孔を中央部に設けた器具本体を、弾性部材を介して天井施工面に直接取り付けたものがある（例えば、特許文献１参照）。
【先行技術文献】
【特許文献】
【０００３】
【特許文献１】特開２００５−７８９２０号公報（図４、段落番号００３７）
【発明の概要】
【発明が解決しようとする課題】
【０００４】
通常、天井施工面に直接取り付けられる照明器具においては、器具本体を天井施工面側にアース導通させることが望ましい。
【０００５】
しかし、特許文献１に開示された従来の照明器具においては、器具本体を天井施工面側にアース導通させていない。そのため、器具本体を天井施工面側にアース導通させるための手段が必要である。
【０００６】
ところで、天井施工面に直接取り付けられる照明器具において器具本体を天井施工面側にアース導通させるための手段の一例として、図５に示すように、天井施工面側にアース導通した接地用ネジ１０１を挿通するためのネジ孔１０２を、薄板鋼板製の器具本体１０３の上面に形成した照明器具１００がある。
【０００７】
ネジ孔１０２は、器具本体１０３にバーリング加工を施して筒形状に形成される。接地用のアース端子等を接地用ネジ１０１でネジ孔１０２にネジ止めする際、接地用ネジ１０１をネジ孔１０２にネジ込んでいくことによりネジ孔１０２にネジを刻んでいく。
【０００８】
しかし、接地用ネジ１０１のネジ込みに伴い、接地用ネジ１０１の根元の非有効ネジ部（不完全ネジ部）１０４がネジ孔１０２に接触することになって、接地用ネジ１０１がネジ孔１０２に確実にネジ込まず、所謂ネジバカとなりうる。
従って、接地用ネジ１０１をネジ孔１０２に確実にネジ込むために、ネジを刻む長さを増やすように器具本体１０３の板厚を増すか、或いは、座金１０５を追加することになり、器具本体１０３の板厚を増すと全体の重量が増加する虞があり、座金１０５を追加すると部品点数が増大する虞がある。
【０００９】
本発明は、前述した課題を解決するためになされたものであり、その目的は、器具本体の板厚を増加することなく部品点数の増大を防止して接地用ネジをネジ孔に確実にネジ込んで器具本体を天井施工面側にアース導通させることができる照明器具を提供することにある。
【課題を解決するための手段】
【００１０】
本発明に係る照明器具は、天井施工面に直接取り付けられる器具本体と、前記器具本体に取り付けられ蛍光ランプへ給電する安定器と、前記器具本体および前記安定器を覆う充電部保護を兼ねたブロックカバーと、前記ブロックカバーの下面に保持される蛍光ランプと、前記蛍光ランプを含む前記器具本体の下面を覆う透光性のカバーと、前記器具本体の上面に配置され、前記天井施工面側に接地される接地用ネジを螺挿するためのネジ孔と、を備えた照明器具であって、前記ネジ孔には、前記天井施工面とは反対側に突出され、その内部にネジが刻まれている挿通孔部と、前記挿通孔部の外縁に形成され、断面が山状であり、頂部で、前記接地用ネジの頭部の底部を支持し、かつ、内側の立ち上がり勾配に比べて、外側の立ち上がり勾配の方が緩やかに設定されている周リブと、が形成されていることを特徴とする。
【００１１】
本発明においては、接地用ネジを挿通するためのネジ孔に、挿通孔部と、挿通孔部の外縁に形成される周リブと、を形成したため、接地用ネジの完全ネジ部が挿通孔部にネジ込まれていく際に、接地用ネジの不完全ネジ部は周リブに位置することにより、不完全ネジ部を挿通孔部に接触させることがない。
従って、器具本体の板厚を増加することなく部品点数の増大を防止して接地用ネジをネジ孔に確実にネジ込んで器具本体を天井施工面側にアース導通させることができる。
また、本発明において、ネジ孔の周リブは、内側の立ち上がり勾配に比べて、外側の立ち上がり勾配の方が緩やかに設定されている。
これにより、接地用ネジは、立ち上がり勾配が急な内側の周リブにより挿通孔部の同心に自動的に位置決めされる。
従って、接地用ネジをネジ孔に確実にネジ込むことができる。
【００１２】
本発明に係る照明器具は、上記照明器具において、前記ネジ孔の前記周リブは、前記接地用ネジをネジ込んだ状態において、前記器具本体の前記天井施工面に当接する突出部の高さより前記接地用ネジに有する頭部を低く配置することを特徴とする。
【００１３】
本発明においては、器具本体の突出部が天井施工面に当接するとき、ネジ孔の周リブにより、接地用ネジに有する頭部は突出部の高さよりも低く配置されているため、接地用ネジは天井施工面に当接しない。
従って、天井施工面へ影響なく設置することができる。
【００１４】
本発明に係る照明器具は、上記照明器具において、前記ネジ孔の前記周リブは、前記接地用ネジを正規位置に誘導可能であることを特徴とする。
【００１５】
本発明においては、接地用ネジがネジ孔にネジ込まれていく際に、ネジ孔の周リブは、接地用ネジを正規位置に誘導する。
これにより、周リブに誘導されながら進行する接地用ネジはネジ孔に対して倒れ等を生ずることがない。
従って、倒れ等の支障なく接地用ネジをネジ孔にネジ込むことができる。
【００１８】
本発明に係る照明器具は、上記照明器具において、前記ネジ孔の前記挿通孔部は、その内径寸法が先端に行くに従って徐々に小さく形成されていることを特徴とする。
【００１９】
本発明において、ネジ孔の挿通孔部は、その内径寸法が先端に行くに従って徐々に小さいテーパ形状に形成されている。
これにより、ネジ孔にネジ込まれていく間に、接地用ネジはテーパ形状に誘導されながら挿通孔部にネジを刻んでいく。
従って、挿通孔部に確実にネジを刻むことができる。
【発明の効果】
【００２０】
本発明の照明器具によれば、器具本体の上面に配置され、天井施工面側に接地される接地用ネジを挿通するためのネジ孔に、挿通孔部と、挿通孔部の外縁に形成される周リブと、を形成した。
これにより、器具本体の板厚を増加することなく部品点数の増大を防止して接地用ネジをネジ孔に確実にネジ込んで器具本体を天井施工面側にアース導通させることができるという効果を有する。
【図面の簡単な説明】
【００２１】
【図１】本発明に係る一実施形態の照明器具の垂直断面図
【図２】図１の照明器具の底面図
【図３】図１の照明器具におけるネジ孔周りの垂直断面図
【図４】図１の照明器具における接地用ネジ周りの垂直断面図
【図５】従来の照明器具における接地用ネジ周りの垂直断面図
【発明を実施するための形態】
【００２２】
以下、本発明の一実施形態に係る照明器具について図面を参照して説明する。
【００２３】
本発明の一実施形態である照明器具１０は、天井施工面１に直接取り付けられる器具本体１１と、器具本体１１に装着された取付ホルダ１２と、器具本体１１に取り付けられて蛍光ランプ１３，１３へ給電する安定器１４と、器具本体１１および安定器１４を覆う充電部保護を兼ねたブロックカバー１５と、ブロックカバー１５の下面に保持される蛍光ランプ１３，１３と、蛍光ランプ１３，１３を含む器具本体１１の下面を覆う透光性のカバー１６と、器具本体１１の上面に配置されて天井施工面１側に接地される接地用ネジ１７がネジ込まれるネジ孔１８と、を備える。
【００２４】
図１、図２に示すように、器具本体１１は、例えば厚さ寸法０．４ｍｍの薄板鋼板材を用いて円板形状に形成されている。器具本体１１の中央部には天井施工面１に設けられている不図示の省施工用部品に外装される取付孔１９が形成されている。
【００２５】
器具本体１１は、取付孔１９の外周部分に、複数の突出部２０を上方に向けて突出形成している。突出部２０は天井施工面１に当接する。突出部２０の外側には、複数のリブ突起２１が取付孔１９を中心として放射状に形成されている。リブ突起２１は、それらの高さが突出部２０よりも低い。
【００２６】
取付ホルダ１２は、例えば硬質の樹脂材料を用いて小判形状に形成されており、器具本体１１の取付孔１９に装着されている。取付ホルダ１２には、省施工用部品に電気的に接続されている電源線２２が保持されている。
【００２７】
安定器１４は、インバータ回路等の電子部品を内蔵しており、器具本体１１の下面において取付孔１９の外側に取り付けられている。安定器１４には電源線２２が電気的に接続され、安定器１４から引き出された器具配線２３がソケット２４に電気的に接続されている。ソケット２４は蛍光ランプ１３，１３に電気的に接続されている。
【００２８】
ブロックカバー１５は、器具本体１１の外径よりも小さい、湾曲円板形状に形成されている。ブロックカバー１５は、反射板および充電部保護を兼ねており、安定器１４を覆って器具本体１１の下面にネジ止めされている。
【００２９】
蛍光ランプ１３，１３は、２重環状の蛍光灯であって、ブロックカバー１５にネジ止めされている複数のランプ保持部品２５により器具本体１１の下方に保持されている。
【００３０】
カバー１６は、例えば透光性を有する乳白色の樹脂製であって、下方を凸として湾曲形成されている。カバー１６は、器具本体１１の下面外縁部に取付けられている複数のカバー取付具２６により蛍光ランプ１３，１３を覆って器具本体１１に保持されている。
【００３１】
ネジ孔１８は、器具本体１１の上面において取付孔１９の外側に配置されている。ネジ孔１８には、不図示の接地用のアース端子に電気的に接続された接地用ネジ１７がネジ込まれている。
【００３２】
図３に示すように、ネジ孔１８は、挿通孔部２７と、周リブ２８と、を形成している。
【００３３】
挿通孔部２７は、上端部２９が内径寸法Ｄ１を有し、下端部３０が上端部２９の内径寸法Ｄ１よりもわずかに小さい内径寸法Ｄ２を有し、上端部２９から下端部３０に行くに従って内径寸法が徐々に小さくなるようにテーパ状に形成されている。
【００３４】
周リブ２８は、挿通孔部２７の外縁に形成されており、内側の立ち上がり勾配部３１の傾斜角度θ１に比べて、外側の立ち上がり勾配部３２の傾斜角度θ２の方が緩やかに設定されている。このとき、周リブは、内外両方の勾配を急にすると、板金成型上、破れなどの発生の虞があるために、内外の勾配を変えることにより成型時の破れを抑えることができる。
【００３５】
図４に示すように、ネジ孔１８には、不図示の接地電線を通じて天井施工面１側に接地されている同じく不図示の接地用のアース端子を介して接地用ネジ１７がネジ込まれる。
【００３６】
接地用ネジ１７は、ネジ込みに伴い、その完全ネジ部３３が挿通孔部２７の上端部２９から下端部３０へとネジを刻みながら進行していく。
【００３７】
このとき、ネジ孔１８の挿通孔部２７が、上端部２９から下端部３０に行くに従って内径寸法が徐々に小さくなるようにテーパ状に形成されている。
これにより、接地用ネジ１７は、ネジ孔１８にネジ込まれていく間に、挿通孔部２７のテーパ形状に誘導されながらネジを確実に刻んでいくことになる。
【００３８】
ネジ孔１８の周リブ２８は、内側の立ち上がり勾配部３１に比べて、外側の立ち上がり勾配部３２の方が緩やかに設定されている。
これにより、接地用ネジ１７は、ネジ孔１８の周リブ２８により正規位置に誘導されてネジ孔１８に対して倒れ等を生ずることがないとともに、周リブ２８の内側の立ち上がり勾配部３１により挿通孔部２７の同心に自動的に位置決めされてネジ込まれていく。
【００３９】
接地用ネジ１７は、ネジ孔１８にネジ込まれた際に、その不完全ネジ部３４が周リブ２８に位置する。
これにより、接地用ネジ１７は、その不完全ネジ部３４を挿通孔部２７に接触させることがない。
【００４０】
周リブ２８は、接地用ネジ１７がネジ孔１８にネジ込まれた状態において、接地用ネジ１７の頭部３５を器具本体１１の突出部２０の高さ寸法Ｌ１よりも低い高さ寸法Ｌ２に設定する。
これにより、周リブ２８により接地用ネジ１７は天井施工面１に当接しない。
【００４１】
本発明の一実施形態の照明器具１０では、器具本体１１の上面に配置されて天井施工面１側に接地される接地用ネジ１７を挿通するためのネジ孔１８に、挿通孔部２７と、挿通孔部２７の外縁に形成される周リブ２８と、を形成した。
これにより、接地用ネジ１７の完全ネジ部３３が挿通孔部２７にネジ込まれていく際に、接地用ネジ１７の不完全ネジ部３４は周リブ２８に位置することにより、不完全ネジ部３４を挿通孔部２７に接触させることがない。
従って、器具本体１１の板厚を増加することなく部品点数の増大を防止して接地用ネジ１７をネジ孔１８に確実にネジ込んで器具本体１１を天井施工面１側にアース導通させることができる。
【００４２】
本発明の一実施形態の照明器具１０では、器具本体１１を天井施工面１に直接取り付けた際に、器具本体１１の突出部２０が天井施工面１に当接する。このとき、ネジ孔１８の周リブ２８により、接地用ネジ１７に有する頭部３５は突出部２０の高さよりも低く配置されている。
これにより、接地用ネジ１７は天井施工面１に当接しない。
従って、天井施工面１へ影響なく設置することができる。
【００４３】
本発明の一実施形態の照明器具１０では、接地用ネジ１７がネジ孔１８にネジ込まれていく際に、ネジ孔１８の周リブ２８は、接地用ネジ１７を正規位置に誘導する。
これにより、周リブ２８に誘導されながら進行する接地用ネジ１７はネジ孔１８に対して倒れ等を生ずることがない。
従って、倒れ等の支障なく接地用ネジ１７をネジ孔１８にネジ込むことができる。
【００４４】
本発明の一実施形態の照明器具１０では、ネジ孔１８の周リブ２８は、内側の立ち上がり勾配部３１に比べて、外側の立ち上がり勾配部３２の方が緩やかに設定されている。
これにより、接地用ネジ１７は、急な内側の立ち上がり勾配部３１により挿通孔部２７の同心に自動的に位置決めされる。
従って、接地用ネジ１７をネジ孔１８に確実にネジ込むことができる。
【００４５】
本発明の一実施形態の照明器具１０では、ネジ孔１８の挿通孔部２７は、その内径寸法が先端に行くに従って徐々に小さいテーパ形状に形成されている。
これにより、ネジ孔１８にネジ込まれていく間に、接地用ネジ１７はテーパ形状に誘導されながら挿通孔部２７にネジを刻んでいく。
従って、挿通孔部２７に確実にネジを刻むことができる。
【００４６】
なお、前記一実施形態で使用した器具本体１１、取付ホルダ１２、蛍光ランプ１３，１、安定器１４、ブロックカバー１５、カバー１６等は例示したものに限定するものではなく適宜変更が可能である。
【符号の説明】
【００４７】
１  天井施工面
１０  照明器具
１１  器具本体
１３  蛍光ランプ
１４  安定器
１５  ブロックカバー
１６  カバー
１７  接地用ネジ
１８  ネジ孔
２０  突出部
２７  挿通孔部
２８  周リブ
３５  頭部
【図１】
0005409230.tif 000002
【図２】
0005409230.tif 000003
【図３】
0005409230.tif 000004
【図４】
0005409230.tif 000005
【図５】
0005409230.tif 000006